(57)【要約】【目的】製袋機等のヒートシール装置におけるシール板ホルダーとシール板の取り付け構造を改良してシール板の取り付けと取り外しを簡潔に行なうことができるようにした。【解決手段】ヒートシール装置において側面に孔加工した孔設部６を備えたシール板４に対して可動式突起部８の付いたシール板ホルダーＡにて側面からバネを用いて加圧して固定する。さらにシール板４の取り付けと取り外しに脱着可能な補助具１７を使う。またシール板４の一部に係止ピン７を備え、上部から螺旋状の突起を加工した係止ブロック１４を引っ掛けることにより、シール板４の落下防止を行うと共にシール板４と熱源板３との密着性を向上させる。【選択図】図１
2008296972.tif 000002
【特許請求の範囲】
【請求項１】
ヒーターベース板と、該ヒーターベース板に断熱材を介して一体的に取り付けられた熱源板とからなるシール板ホルダーと、該シール板ホルダーに前記熱源板の下面に接して取り付けられるプラスチックフィルムを溶着してヒートシールする角柱状のシール板と、該シール板ホルダーをヒーターベース板と熱源板とシール板と一体的に昇降動作させる昇降手段とを備えた製袋機等のヒートシール装置において、前記シール板の長手方向両端に互いに相対する一対の端面部に設けた各々孔設部と、該各々孔設部内に嵌合して前記シール板を一体的に取り付け保持する互いに対向する固定式突起部と可動式突起部を備えた前記シール板ホルダーと、該シール板ホルダーを昇降動作させて前記シール板長手方向にあるシール押圧面をプラスチックフィルム面に押圧する前記昇降手段とを設け、該シール板ホルダーの前記固定式突起部先端に前記可動式突起部先端を接近方向に移動させて前記シール板の前記各々孔設部内に嵌合させて、前記シール板を前記シール板ホルダーに一体的に取り付け保持することを特徴とするヒートシール装置。
【請求項２】
前記シール板を一体的に取り付け保持する前記可動式突起部が、前記可動式突起部に対して常に接近方向に移動するように加圧用バネを介して突出方向に付勢されて前記シール板ホルダーに備えられ、前記可動式突起部を加圧用バネの付勢力にて又は付勢力に抗して一方の突起部に対して接近又は離反方向に移動させることにより、前記シール板を、前記シール板ホルダーに対して着脱可能にしたことを特徴とする請求項１記載のヒートシール装置。
【請求項３】
前記シール板を一体的に取り付け保持する前記可動式突起部が、前記可動式突起部に対して接近・離間方向に移動するように前記シール板ホルダーに螺着したネジの先端部に一体に備えられ、前記可動式突起部をネジを回転させて前記固定式突起部に対して接近又は離反方向に移動させることにより、前記シール板を、前記シール板ホルダーに対して着脱可能にしたことを特徴とする請求項１記載のヒートシール装置。
【請求項４】
前記シール板ホルダーには、前記熱源板に嵌装され且つ前記シール板の長手方向に対して直交する方向且つ該シール板に対して離反する方向にバネにて付勢されたシール板脱落防止用のシャフトを備え、前記シール板には該シャフトの先端部にネジにて嵌着する嵌着用孔設部を備え、前記シール板ホルダーからのシール板の脱落を防止するようにしたことを特徴とする請求項１乃至３のいずれか１項記載のヒートシール装置。
【発明の詳細な説明】
【技術分野】
【０００１】
本発明は、単一フィルム又はラミネートフィルム等のプラスチックフィルムを、加熱により熱溶着シールするためのヒートシール装置に関する。
【背景技術】
【０００２】
一般的に、製袋機等のヒートシールをするためのヒートシール装置（シールユニット）の構成は、図８に示すように、ヒーターベース板１と、該ヒーターベース板１に断熱材２を介して一体的に取り付けられた熱源板３とからなるシール板ホルダーＡと、該熱源板３の下面に接してシール板ホルダーＡのヒーターベース板１から挿入したネジ５に螺着されて取り付けられプラスチックフィルムＦを溶着してヒートシールする角柱状のシール板４（フィルム押圧面４ａ）と、該シール板ホルダーＡをヒーターベース板１と熱源板３とシール板４と一体的に昇降動作させる昇降手段Ｂとから構成されている。
【０００３】
従来、シール板４は、図８に示すように、その上部にいくつかのネジ孔４ｂの加工がなされ、ヒーターベース１と断熱材２と熱源板３には、ネジ孔４ｂの位置に対応したそれぞれ貫通孔１ａ、２ａ、３ａが加工形成されている。シール板４を固定するためには、図８に示すように首の長い固定ボルト５をヒーターベース１と断熱材２と熱源板３の貫通孔１ａ、２ａ、３ａに通して、ボルト５先端のネジ５ａをシール板４の上部ネジ孔４ｂに螺着して締め付けて固定しており、ネジ孔４ｂの数に相当する本数のボルト５を締める必要があった。
【０００４】
このようにシール板４を、固定ボルト５とシール板４上部のネジ孔４ｂの螺着によってシール板ホルダーＡに取り付け固定する場合、固定ボルト５先端のネジ５ａとシール板４上部のネジ孔４ｂが見えないため、ネジとネジ孔との位置を整合するのは煩雑な作業であり、取り付け時間が掛かるという問題が生じていた。
【０００５】
また、ヒートシールを終了した後のシール板４の交換作業や、シール板４をシール板ホルダーＡから取り外す際には、熱源板３によって熱せられているシール板４が落下しないように手等で保持しておく必要があり、分厚い手袋を着用していたとしても、素早い取り外し作業が必要であり、また、シール板４はネジ孔４ｂと固定ボルト５のみで止められているため、取り外す際に落下の危険性もあった。
【０００６】
従来の製袋機等のシールユニットにおいては、製袋機の製作会社によってシール板の取り付け用のネジ孔位置やネジ孔径やネジ孔数が異なるため、異なる製作会社の間のシール板同士の互換性が無かった。そのために、シール板を製作会社別に用意しておく必要があり、広い保管場所が必要であるという問題が生じていた。
【０００７】
以下に、本発明に関連する先行技術文献を記載する。
【特許文献１】特公平６−３５１６７号公報
【特許文献２】実用新案登録第３０３５６８７号
【発明の開示】
【発明が解決しようとする課題】
【０００８】
本発明の課題は、シール板に関する以上の問題点や、危険性を解決するための提案であり、ヒートシール装置におけるシール板ホルダーとシール板の取り付け構造を改良するこ
とにある。
【課題を解決するための手段】
【０００９】
本発明の請求項１に係る発明は、ヒーターベース板と、該ヒーターベース板に断熱材を介して一体的に取り付けられた熱源板とからなるシール板ホルダーと、該シール板ホルダーに前記熱源板の下面に接して取り付けられるプラスチックフィルムを溶着してヒートシールする角柱状のシール板と、該シール板ホルダーをヒーターベース板と熱源板とシール板と一体的に昇降動作させる昇降手段とを備えた製袋機等のヒートシール装置において、前記シール板の長手方向両端に互いに相対する一対の端面部に設けた各々孔設部と、該各々孔設部内に嵌合して前記シール板を一体的に取り付け保持する互いに対向する固定式突起部と可動式突起部を備えた前記シール板ホルダーと、該シール板ホルダーを昇降動作させて前記シール板長手方向にあるシール押圧面をプラスチックフィルム面に押圧する前記昇降手段とを設け、該シール板ホルダーの前記固定式突起部先端に前記可動式突起部先端を接近方向に移動させて前記シール板の前記各々孔設部内に嵌合させて、前記シール板を前記シール板ホルダーに一体的に取り付け保持することを特徴とするヒートシール装置である。
【００１０】
本発明の請求項２に係る発明は、上記請求項１に係るヒートシール装置において、前記シール板を一体的に取り付け保持する前記可動式突起部が、前記可動式突起部に対して常に接近方向に移動するように加圧用バネを介して突出方向に付勢されて前記シール板ホルダーに備えられ、前記可動式突起部を加圧用バネの付勢力にて又は付勢力に抗して一方の突起部に対して接近又は離反方向に移動させることにより、前記シール板を、前記シール板ホルダーに対して着脱可能にしたことを特徴とするヒートシール装置である。
【００１１】
本発明の請求項３に係る発明は、上記請求項１に係るヒートシール装置において、前記シール板を一体的に取り付け保持する前記可動式突起部が、前記可動式突起部に対して接近・離間方向に移動するように前記シール板ホルダーに螺着したネジの先端部に一体に備えられ、前記可動式突起部をネジを回転させて前記固定式突起部に対して接近又は離反方向に移動させることにより、前記シール板を、前記シール板ホルダーに対して着脱可能にしたことを特徴とするヒートシール装置である。
【００１２】
本発明の請求項４に係る発明は、上記請求項１乃至３のいずれか１項に係るヒートシール装置において、前記シール板ホルダーには、前記熱源板に嵌装され且つ前記シール板の長手方向に対して直交する方向且つ該シール板に対して離反する方向にバネにて付勢されたシール板脱落防止用のシャフトを備え、前記シール板には該シャフトの先端部にネジにて嵌着する嵌着用孔設部を備え、前記シール板ホルダーからのシール板の脱落を防止するようにしたことを特徴とするヒートシール装置である。
【発明の効果】
【００１３】
本発明のヒートシール装置は、シール板ホルダーＡに、一方の固定式突起部に対して対向し且つ接近・離反可能な可動式突起部を備え、シール板には、シール板本体の長手方向両端に互いに相対する各々端面部に各々孔設部が設けられているため、一方の固定式突起部に対して他方の可動式突起部を接近方向（水平方向）に移動させることにより、互いに対向する固定式、可動式のそれぞれ突起部先端を、シール板本体の前記各々孔設部内に嵌合させて、シール板本体をシール板ホルダーに対して容易に取り付け保持することができる。また一方の固定式突起部に対して可動式突起部を離反方向（水平方向）に移動させることにより、互いに対向する固定式、可動式のそれぞれ突起部先端を、シール板本体の前記各々孔設部内から離脱させて、シール板本体をシール板ホルダーに対して容易に取り外すこと（着脱）ができる。
【００１４】
そのために、シール板ホルダーＡに備える一方の固定式突起部と可動式突起部、及びそれらと嵌合するシール板の長手方向両端面部に設けた孔設部は、シール板の取り付け取り外し作業において、ヒートシール装置全体の前面側あるいは背面側などから見やすい位置に配置されており、シール板ホルダーＡからシール板を、素早く、容易に、取り付け取り外しを行なうことが可能になる。
【００１５】
このように、シール板ホルダーＡからシール板を取り外す際は、該シール板ホルダーＡに取り付けられた可動式突起部の加圧用バネを縮め、バネ力に抗して該突起部を固定式突起部に対して離反する方向に移動させることにより、該突起部を固定式突起部に対して離反する方向に移動させることにより、互いに対向する突起部の接近方向への圧を抜くことができ、簡単に突起部先端部を、シール板の長手方向両端面の孔設部から離脱させて、取り外しを行うことができるため、加熱されているシール板を、長時間保持しておく必要がない。
【００１６】
このように、シール板ホルダーＡからシール板を取り外す際は、該シール板ホルダーＡに螺着されて取り付けられた可動式突起部の移動用ネジを回転させて、該突起部を固定式突起部に対して離反する方向に移動させることにより、互いに対向する突起部の接近方向への圧を抜くことができ、簡単に突起部先端部を、シール板の長手方向両端面の孔設部から離脱させて取り外しを行う事ができるため、加熱されているシール板を長時間保持しておく必要がない。
【００１７】
また本発明のヒートシール装置は、シール板ホルダーに取り付けられた可動式突起部の加圧用バネを縮めて圧を抜くための補助具を用意しておくことにより、素早く取り付けと取り外しを行うことができる。また補助具は、使わない時にはシール板ホルダーから外しておくことができ、シール板ホルダーが高温に加熱されている場合でも、常温の補助具を用いて取り付けと取り外しを行うことができ、安全に作業をすることができる。
【００１８】
また本発明のヒートシール装置は、シール板ホルダーの一部にシール板の長手方向に対して直交する方向（垂直方向）にシール板の脱落を防止するシャフトが設けられ、該シャフト下端部には係合部が設けられ、シール板の上面には、垂直方向に係合用孔設部が設けられ、シャフト下端部の係合部をシール板上面の係合用孔設部に係合することにより、前記シール板ホルダーからのシール板が、不用意に脱落して落下するのを防止することができる。
【００１９】
このように、本発明のヒートシール装置の構造によれば、従来の製袋機のシールユニットに対しても、そのシール板ホルダーとシール板に対して、ネジ孔と貫通孔等の加工を容易に行うことができる。また本発明のヒートシール装置と同様の構造の取り付け構造や取り付け方法にすることが可能である。さらに異なる種類のヒートシール装置に対応するそれぞれ異なるシール板を用意する必要が無く、取り付け構造、取り付け方法の統一化を図ることができるとともに、異なる機種のヒートシール装置に使用するシール板に対して互換適性を付与することが可能になり、本発明のヒートシール装置の構造の採用によるヒートシールの実施により、シール板の取り付け作業時間の短縮と作業手順の簡略化が可能になる。
【発明を実施するための最良の形態】
【００２０】
以下に本発明のヒートシール装置の実施例を図面に基づいて詳細に説明する。図１は、その一実施例を示す正面図であり、本発明のヒートシール装置は、ヒーターベース板１と、そのヒーターベース板１の長手方向両側に一体的に設けられたそれぞれサイドホルダー１５、１５と、該ヒーターベース板１に断熱材２を介して一体的に取り付けられた熱源板３とからなるシール板ホルダー部Ａを備える。なお前記サイドホルダー１５、１５は、熱源板３の長手方向両側に一体的に設けられていてもよい。
【００２１】
図１に示すように、前記シール板ホルダーＡには昇降手段Ｂが取り付けられていて、ヒーターベース板１と熱源板３とシール板４と共に一体的に昇降手段Ｂにより矢印方向に下降動作（押圧シール）と上昇動作（復帰）のサイクル動作をする。
【００２２】
図２（ａ）はシール板ホルダー部Ａの正面図、図２（ｂ）はその側面図、図２（ｃ）はその下面図であり、前記シール板ホルダー部Ａの長手方向両側のサイドホルダー１５、１５には、それぞれ突起部８が対向して取り付けられている。
【００２３】
図３（ａ）は前記シール板ホルダー部Ａに取り付けられる角柱状のシール板４（ヒートシールバー）の正面図であり、図３（ｂ）はその側面図、図３（ｃ）はその上面図であり、シール板４本体の長手方向両端に互いに相対する一対の端面部には、前記シール板ホルダー部Ａの突起部８が嵌入係合する各々孔設部６（係合凹部）が設けられている。
【００２４】
図１、図２、図３に示すように、前記シール板ホルダー部Ａには、前記シール板４が、その長手方向の両端面の各々孔設部６内に両側のサイドホルダー１５、１５に取り付けられた対向する各々突起部８を嵌入係合することにより、前記熱源板３の下面に接して一体的に取り付け保持される。
【００２５】
前記シール板ホルダーＡは、ヒーターベース板１と熱源板３とシール板４と共に一体的に昇降手段Ｂにより昇降動作し、熱源板３の加熱動作による熱は、シール板４からその下面にあるヒートシール押圧面４ａに伝達してヒートシール押圧面４ａを加熱する。昇降手段Ｂによる１サイクル毎の昇降動作における下降動作により、シール板４のシール押圧面４ａは、プラスチックフィルムＦを押圧しながら加熱溶着してヒートシールする。
【００２６】
図１、図２（ａ）に示すように、前記シール板ホルダーＡの両側サイドホルダー１５、１５から突出して互いに対向する各々突起部８のうち、一方のサイドホルダー１５（例えば図１及び図２（ａ）の図面左側のサイドホルダー１５）の突起部８は、該サイドホルダー１５の対向内面側に固定状態に取り付けられた固定式突起部８ａとなっていて、図２（ｃ）に示すように１個（又は２〜３個以上）設けられている。
【００２７】
また、前記シール板ホルダーＡの他方のサイドホルダー１５（例えば図１及び図２（ａ）の図面右側のサイドホルダー１５）の前記突起部８は、該サイドホルダー１５の対向内面側に、１個（又は２〜３個以上）設けた前記一方の固定式突起部８ａの先端方向に対して接近・離反移動可能に取り付けられた可動式突起部８ｂとなっていて、図２（ｃ）に示すよう２個〜３個以上（又は１個）設けられている。なお、その場合、図２（ｃ）に示す前記シール板ホルダーＡの各突起部８（固定式突起部８ａ、可動式突起部８ｂ）の取り付け位置に対応して、図３（ｃ）に示すように、前記シール板４の各々孔設部６は、その位置を整合させて孔設されている。
【００２８】
本発明のヒートシール装置において、前記シール板４本体を一体的に取り付け保持する一方の固定式突起部８ａ及び他方の可動式突起部８ｂのそれぞれ先端部の形状、及び前記シール板４の各々孔設部６の凹部の形状については、本発明においては特に限定されるものではないが、例えば突起部８の先端相当方向に向かって序々に狭幅となるテーパー状が好適である。
【００２９】
前記シール板ホルダーＡにシール板４を取り付ける場合は、まず、図２（ａ）、（ｃ）に示すシール板ホルダーＡの一方の固定式突起部８ａの先端に、それと整合させた位置にある図３（ａ）、（ｃ）に示すシール板４本体の長手方向一方側の孔設部６を嵌入係合さ
せ、続いて該シール板４本体の長手方向他方側の孔設部６の位置を、他方の可動式突起部８ｂの先端に正対するように位置整合させた後、該可動式突起部８ｂを固定式突起部８ａに接近する方向に移動させ、正対させたシール板４本体の前記孔設部６内にそれぞれ突起部８を嵌入係合させて、図１に示すようにシール板４本体をシール板ホルダーＡに一体的に取り付け保持するものである。
【００３０】
本発明のヒートシール装置の前記シール板ホルダーＡにおける可動式突起部８ｂの接近・離反移動の移動機構については、本発明においては特に限定されるものではないが、各々可動式突起部８ｂが容易に接近移動できる機構、及び接近移動による孔設部６内への嵌入係合状態を確実に継続維持できる機構、及び容易に離反移動できる機構、及び離反移動による孔設部６外への離脱を容易にできる機構を兼ね備えた移動機構であればよい。
【００３１】
前記シール板ホルダーＡにおける可動式突起部８ｂの接近・離反移動の具体的な移動機構の一例としては、例えば図１、図２（ａ）に示すように、シール板ホルダーＡの一方のサイドホルダー１５（垂直フレーム板）に対向する他方のサイドホルダー１５（垂直フレーム板）に貫設した孔設部（ブッシュ）に、水平方向に摺動移動可能にスライド可能に嵌装したガイドシャフト１０のサイドホルダー対向内側の先端部に作動プレート９が取り付けられ、該作動プレート９を介して可動式突起部８ｂが設けられていて、対向外側の先端部には前記孔設部（ブッシュ）径より広幅のシャフトヘッド１０ａ（ストッパ）が設けられている。
【００３２】
なお、図１、図２（ａ）、（ｂ）における前記可動式突起部８ｂ側のサイドホルダー１５（図面右側）の外側面とシャフトヘッド１０ａとの間には、シール板４を取り付ける前において、所定隙間ｄ（後述する引っ張り移動用の補助具１７が嵌入する隙間）が形成されるように、例えば、ガイドシャフト１０に装着される加圧用バネ１１の平常長さが設定されているか、又は所定長さの溝切りがされたスプライン式のガイドシャフト１０と、その溝切り内に嵌合する突起を有する孔設部（ブッシュ）とがスプライン嵌合している。
【００３３】
前記シャフト１０の可動式突起部８ｂ先端部側には、広幅の作動プレート９が取り付けられ、該作動プレート９とサイドホルダー１５との間に、加圧用バネ１１が装着されていて、一方の固定式突起部８ａ（図面左側）に対して、他方の可動式突起部８ｂ（図面右側）が、常に接近方向に移動するように、各々可動式突起部８ｂは加圧用バネ１１を介して突出方向に付勢されて前記シール板ホルダーＡに備えられている。
【００３４】
そして、前記可動式突起部８ｂを先端に備えたシャフト１０を加圧用バネ１１の付勢力にて又は付勢力に抗して、固定式突起部８ａに対して、接近又は離反方向に摺動移動させて、前記シャフト１０先端の可動式突起部８ｂを、シール板４本体の孔設部６内に嵌入係合又は離脱させることにより、シール板４本体をシール板ホルダーＡに対して取り付け、又は取り外し可能となってる。
【００３５】
なお前記可動式突起部８ａを、図２（ｃ）に示すようにシール板ホルダーＡに２個〜３個以上設ける場合には、シャフト１０の先端に設けた前記作動プレート９の前記固定式突起部８ａと対向する内側に、複数の可動式突起部８ｂを一体的に隣接させて連設し、又は複数の可動式突起部８ｂを先端に設けた各々シャフト１０を、前記作動プレート９に挿入させることにより、固定式突起部８ａの対向内側に前記各々可動式突起部８ｂを一体的に隣接させて連設保持する。これにより複数の各々可動式突起部８ｂは、各々シャフト１０のヘッド１０ａをサイドホルダー１５の外方に水平方向に、加圧用バネ１１の付勢力にて一体的に連動して接近移動でき、又は加圧用バネ１１の付勢力に抗して引っ張ることにより一体的に連動して離反移動できるようにしてもよい。
【００３６】
前記シール板ホルダーＡにおける可動式突起部８ｂの接近・離反移動の具体的な移動機構の他の例としては、例えば、図１、図２（ａ）に示すシール板ホルダーＡの可動式突起部８ｂにおいて、一方のサイドホルダー１５（垂直フレーム板）に対向する他方のサイドホルダー１５（垂直フレーム板）に螺設したネジ孔部に水平方向に螺着したガイドシャフト１０（螺設シャフト、ボルト）のサイドホルダー対向内側の先端部に各々可動式突起部８ｂが設けられ、対向外側の先端部にはシャフトヘッド１０ａ（ボルトヘッド）が設けられている。
【００３７】
そして、前記可動式突起部８ｂを先端に備えた螺設シャフト１０を、シャフトヘッド１０ａをドライバー又はスパナ等にて回転させることにより、シャフト１０先端の可動式突起部８ｂを、対向する固定式突起部８ａに対して接近又は離反方向に移動させ、可動式突起部８ｂを、シール板４本体の孔設部６内に嵌入係合又は離脱させることができ、シール板４本体を、シール板ホルダーＡに対して取り付け又は取り外し可能（着脱可能）となってる。
【００３８】
また、本発明のヒートシール装置においては、図１に示すようにシール板ホルダーＡに装着されたシール板４が、シール板ホルダーＡから不用意に脱落しないように、シール板脱落防止機構Ｃを設けることができる。
【００３９】
シール板脱落防止機構Ｃとしては、図１に示すように、前記シール板ホルダーＡに前記シール板４（金属製の略角柱状体）の長手方向に対して直交する垂直方向に、シール板４の脱落を防止するための脱落防止用シャフト１６を設けるものである。図４（ａ）は、脱落防止シャフト１６の正面図であり、シャフト１６の下端には該シャフト１６の径より広幅な略円柱状の係止ブロック１４を備える。なお、図４（ｂ）は、その係止ブロック１４の上面図、（ｃ）はその斜視図、（ｄ）は係止ブロック１４の下面図である。
【００４０】
該脱落防止シャフト１６は、図１に示すように、シール板ホルダーＡのそれぞれヒーターベース１と断熱材２と熱源板３とに上下方向に適度なクリアランスを以て貫設した孔設部１ａ、２ａ、３ａに垂直に嵌装されていて、該シャフト１６の上端にはシャフト回転用のハンドル１２が設けられ、該ヒーターベース１とハンドル１２下部との間のシャフト１６には、該シャフト１６全体及び係止ブロック１４を常に上昇方向に付勢するための圧縮用弾性体１３（例えばコイルバネ）が設けられている。
【００４１】
図５は、脱落防止シャフト１６下端の係止ブロック１４がシール板４上面の孔設部４ｃ内に嵌入した状態を説明する拡大斜視図であり、図３（ｃ）のシール板の上面図及び図５に示すように、前記孔設部４ｃには、シール板４（角柱状）の前面側又は／及び背面側から孔設部４ｃ内に向かって突出させたシール板落下防止用の係止ピン７（ボス）が設けられている。そして該シャフト１６下端の前記係止ブロック１４は、シール板４上面から途中まで孔設した孔設部４ｃ内に嵌入していて、孔設部４ｃ内に嵌入した前記シャフト１６下端の円柱状の係止ブロック１４の上面１４ａ部分に落下防止用係止ピン７が、前記バネ１３に抗して乗り上がることにより、係止ブロック１４が孔設部４ｃ内に係止される。これによりシール板４本体は弾力的に熱源板３の下面に接触（面接触）しながら、シール板ホルダーＡから脱落するのを防止するものである。
【００４２】
上記の脱落防止シャフト１６下端の略円柱状の係止ブロック１４の形態としては、その上面１４ａ（及び下面）が平坦な水平面を備える円柱体であって、その円柱体の円面（上面１４ａ及び下面）と直交する円柱軸の方向に沿って、その円面の一部に、係止ピン７が挿入可能な大きさの切欠部（例えば図４（ｂ）に示すような円柱状体の円面の切欠部１４ｃ）を１〜２個所に設けてもよい。
【００４３】
また上記の脱落防止シャフト１６下端の略円柱状の係止ブロック１４の形態としては、図４（ａ）〜（ｄ）及び図５に示すように、円柱状の係止ブロック１４の上面が平坦な水平上面１４ａと、その面に連続して低く傾斜する螺旋状に加工された傾斜上面１４ｂとを備える円柱体であって、その円柱体の円面（水平上面１４ａと傾斜上面１４ｂ）のうち、水平上面１４ａと傾斜上面１４ｂの最下位面が互いに隣接する部分に、円柱軸の方向に沿って、その円面の一部を切り欠いた切欠部として、前記係止ピン７がシール板４を脱落防止シャフト１６の係止ブロック１４から取り外す際に挿入可能な大きさの切欠部１４ｃを１〜２個所に設けてもよい。
【００４４】
シャフト１６下端の前記係止ブロック１４は螺旋状になっているため、ハンドル１２を例えば時計回りに回すことにより、落下防止用の係止ピン７が係止ブロック１４の螺旋傾斜上面１４ｂに沿って滑りながら上昇して、シール板４が持ち上がる。これにより、熱源板３下面にシール板４上面が十分に密着する。シール板ホルダーＡからシール板４を取り外す際には、シール板４の取り付け用孔設部６を各突起部８（固定式突起部８ａ、可動式突起部８ｂ）から外しても、シール板４は落下防止用の係止ブロック１４により保持されている。そのため、ハンドル１２を半時計回りに回すことにより、落下防止用の係止ピン７を係止ブロック１４の螺旋傾斜上面１４ｂ上に沿って滑らせながら下降させて、取り外し用の切欠部１４ｃにてシール板４側の係止ピン７を脱落防止シャフト１６側の係止ブロック１４から離脱させて、脱落防止シャフト１６からシール板４の取り外しを行う。以上の方法は、従来の固定ボルト５によるシール板の取り付け固定方法に比べ、取り付け時間が短いことが確認された。
【００４５】
図２（ｃ）に示すように、本発明装置のシール板ホルダーＡに可動式突起部８ｂを、２個〜３個以上設ける場合においては、前述のように複数の可動式突起部８ｂを一体的に隣接して連結する作動プレート９を設けるものであるが、該複数の可動式突起部８ｂを、１枚の作動プレート９の移動動作によって、加圧用バネ１１の付勢力にて又は付勢力に抗して、一体的に連動して接近・離反移動するために、図６の全体斜視図に示すような引っ張り移動用の補助具１７を作製準備することができる。
【００４６】
補助具１７は、例えば、図６に示すように適宜な長さの細長矩形状の偏平なプレート１７ａ本体の長手方向の上辺に、前記作動プレート９に連結した複数の可動式突起部８ｂの各々シャフト１０を嵌挿するための切欠部１７ｂが、その各シャフト１０の位置に整合するように設けられている。
【００４７】
図７は、図６に示す引っ張り移動用の補助具１７を用いて、可動式突起部８ｂを離反移動させる場合の補助具１７の使用例を説明する本発明のヒートシール装置を斜め下側から見た全体斜視図であり、図１、図２、図７に示すように、可動式突起部８ｂ側のサイドホルダー１５（図面右側）と、そのサイドホルダー１５外側部に突出するシャフト１０外端部のシャフトヘッド１０ａとの間の隙間ｄに補助具１７を嵌入し、その隙間ｄ内のシャフト１０を補助具１７の切欠部１７ｂに嵌入した後、該補助具１７を、外側に水平方向に引っ張ることにより、一度に複数の可動式突起部８ｂを、固定式突起部８ａから離反する方向に移動させて、シール板ホルダーＡに装着されているシール板４を取り外し、あるいはシール板４を取り付けるものである。
【００４８】
本発明のヒートシール装置におけるシール板ホルダーＡは、ヒーター等の熱源板３に取り付けられているため、ヒーターと同様に高温に熱せられている。そのため、図７に示すように、引っ張り移動用の補助具１７を、シール板ホルダーＡのガイドシャフト１０に引っ掛けることにより、直接熱せられたホルダーＡに触れることなく、容易にシール板４の取り外しが可能である。本発明装置は、このような落下防止機構があるため、シール板４の安全な取り外しが可能であることが確認された。
【図面の簡単な説明】
【００４９】
【図１】本発明のヒートシール装置の一例を説明する正面図である。
【図２】（ａ）は本発明のヒートシール装置におけるシール板ホルダーの一例を説明する正面図であり、（ｂ）はその右側面図、（ｃ）はその下面図である。
【図３】（ａ）は本発明のヒートシール装置におけるシール板の一例を説明する正面図であり、（ｂ）はその右側面図、（ｃ）はその上面図である。
【図４】（ａ）は本発明のヒートシール装置におけるシール板落下防止機構の一例を説明する正面図であり、（ｂ）はそのシール板落下防止機構の係止ブロック部分の一例を説明する上面図、（ｃ）はその全体斜視図、（ｄ）はその下面図である。
【図５】本発明のヒートシール装置におけるシール板落下防止機構の係止ブロック部分とシール板との係止状態の一例を説明する部分斜視図である。
【図６】本発明のヒートシール装置における可動式突起部の移動用の補助具の斜視図である。
【図７】本発明のヒートシール装置における移動用の補助具による可動式突起部の移動動作を説明する全体斜視図である。
【図８】従来のヒートシール装置の一例を説明する正面図。
【符号の説明】
【００５０】
１…ヒーターベース
２…断熱板
３…熱源板
４…シール板
５…固定ボルト
６…孔設部
７…係止ピン
８…突起部
８ａ…固定式突起部
８ｂ…可動式突起部
１１…加圧用バネ
１２…ハンドル
１３…引き上げ用バネ
１４…係止プロック
【図１】
2008296972.tif 000003
【図２】
2008296972.tif 000004
【図３】
2008296972.tif 000005
【図４】
2008296972.tif 000006
【図５】
2008296972.tif 000007
【図６】
2008296972.tif 000008
【図７】
2008296972.tif 000009
【図８】
2008296972.tif 000010